(57)【要約】【課題】導通検査治具のレイアウト変更が容易に行える試作ワイヤハーネス用導通検査図板装置を提供する。【解決手段】ワイヤハーネスに取り付けられたコネクタ部品が着脱自在に装着される導通検査治具４の複数と、所定の間隔で配線溝７が設けられた図板本体３と、互いに着脱自在な面ファスナ８のループ体シート８ａとフック体シート８ｂとを備える。図板本体３の上面に、一方のループ体シート８ａが装着され、複数の導通検査治具４の底面に、それぞれ他方のフック体シート８ｂが装着される。そして、各導通検査治具４が図板本体３上に面ファスナ８を介して着脱自在とされている。【選択図】図２
0003137018.tif 000002
【実用新案登録請求の範囲】
【請求項１】
試作されたワイヤハーネスの導通を検査するための試作ワイヤハーネス用導通検査図板装置であって、
前記ワイヤハーネスに取り付けられたコネクタ部品が着脱自在に装着される導通検査治具の複数と、所定の間隔で配線溝が設けられた図板本体と、互いに着脱自在な面ファスナのフック体シートと被フック体シートとを備え、
前記図板本体の上面に、前記フック体シートもしくは前記被フック体シートのいずれか一方のシートが装着されると共に、前記複数の導通検査治具の底面に、それぞれ他方のシートが装着され、各導通検査治具が図板本体上に面ファスナを介して着脱自在とされていることを特徴とする試作ワイヤハーネス用導通検査図板装置。
【請求項２】
請求項１に記載の試作ワイヤハーネス用導通検査図板装置であって、
前記配線溝を跨いで該配線溝両側の前記図板本体の上面に装着された前記一方のシートに着脱自在な前記他方のシートからなる帯状の溝蓋シートをさらに備えることを特徴とする試作ワイヤハーネス用導通検査図板装置。
【請求項３】
請求項１または請求項２に記載の試作ワイヤハーネス用導通検査図板装置であって、
前記図板本体は、上面に前記一方のシートが装着された平板状の基板と、底面に前記他方のシートが装着されると共に上面に前記一方のシートが装着された角柱部材の複数とを備え、
前記基板上に所定間隔を有して各角柱部材が、前記面ファスナを介して着脱自在に装着されることにより、前記配線溝が形成されることを特徴とする試作ワイヤハーネス用導通検査図板装置。
【考案の詳細な説明】
【技術分野】
【０００１】
本考案は、試作されたワイヤハーネスの導通を検査するための試作ワイヤハーネス用導通検査図板装置に関する。
【背景技術】
【０００２】
通常、製造ラインにおいて、ワイヤハーネスの導通を検査するための導通検査図板装置にあっては、ワイヤハーネスの各端部に装着されたコネクタ部品に対応した導通検査治具が、図板上の所定の位置にネジ止め等によりそれぞれ予め固定状態で取り付けられていた。この種の導通検査治具としては、例えば特許文献１に開示のようなものがある。
【０００３】
そして、検査対象となるワイヤハーネスを拡げた状態で、各コネクタ部品をそれぞれ対応する導通検査治具に装着し、ワイヤハーネスに含まれるすべての電線について検査回路を構成し、各回路が閉じているか否かによって、各電線単位で導通状態が良好であるか否かを判定器により判定していた。
【０００４】
また、ワイヤハーネスにおいては、取り付けられる車両の車種やグレード等により多種類のものが製造されるため、ワイヤハーネスの種類毎にそれぞれ対応する導通検査図板装置が準備されていた。
【０００５】
【特許文献１】特開２００１−７６５５９号公報
【考案の開示】
【考案が解決しようとする課題】
【０００６】
一方、製造段階に入る前の試作ラインにおけるワイヤハーネスは、種々の変更があるため、各導通検査治具のレイアウトもその都度、変更する必要が生じるが、特許文献１にも開示のように、従来は、図板上に導通検査治具をネジ止めしたり、ネジ止めされた固定フレームに導通検査治具を着脱自在に装着する構造とされているため、レイアウト変更が面倒であった。
【０００７】
そこで、この考案は上記のような課題に鑑み、導通検査治具のレイアウト変更が容易に行える試作ワイヤハーネス用導通検査図板装置を提供することにある。
【課題を解決するための手段】
【０００８】
上記課題を解決するための技術的手段は、試作されたワイヤハーネスの導通を検査するための試作ワイヤハーネス用導通検査図板装置であって、前記ワイヤハーネスに取り付けられたコネクタ部品が着脱自在に装着される導通検査治具の複数と、所定の間隔で配線溝が設けられた図板本体と、互いに着脱自在な面ファスナのフック体シートと被フック体シートとを備え、前記図板本体の上面に、前記フック体シートもしくは前記被フック体シートのいずれか一方のシートが装着されると共に、前記複数の導通検査治具の底面に、それぞれ他方のシートが装着され、各導通検査治具が図板本体上に面ファスナを介して着脱自在とされている点にある。
【０００９】
また、前記配線溝を跨いで該配線溝両側の前記図板本体の上面に装着された前記一方のシートに着脱自在な前記他方のシートからなる帯状の溝蓋シートをさらに備える構造としてもよい。
【００１０】
さらに、前記図板本体は、上面に前記一方のシートが装着された平板状の基板と、底面に前記他方のシートが装着されると共に上面に前記一方のシートが装着された角柱部材の複数とを備え、前記基板上に所定間隔を有して各角柱部材が、前記面ファスナを介して着脱自在に装着されることにより、前記配線溝が形成される構造としてもよい。
【考案の効果】
【００１１】
本考案の試作ワイヤハーネス用導通検査図板装置によれば、ワイヤハーネスに取り付けられたコネクタ部品が着脱自在に装着される導通検査治具の複数と、所定の間隔で配線溝が設けられた図板本体と、互いに着脱自在な面ファスナのフック体シートと被フック体シートとを備え、図板本体の上面に、フック体シートもしくは被フック体シートのいずれか一方のシートが装着されると共に、複数の導通検査治具の底面に、それぞれ他方のシートが装着され、各導通検査治具が図板本体上に面ファスナを介して着脱自在とされた構造であるため、それぞれに装着された面ファスナを利用して着脱することにより、各導通検査治具を図板本体上の所望位置に容易に着脱自在に装着でき、導通検査治具のレイアウト変更が容易に行うことができ、種々の変更が多い、試作ラインにおけるワイヤハーネスの導通の検査には好適である。
【００１２】
また、各導通検査治具から引き出されているリード線は、配線溝を通じて所定位置に案内でき、図板本体上の煩雑化が有効に防止できる。
【００１３】
さらに、ワイヤハーネスにおける枝線が密集した部分は、対応する各導通検査治具を密集した状態で配置し、また、間隔が広い場合であっても検査に支障がない範囲で、できるだけ短い間隔で各導通検査治具を配置することによって、作業者の検査時における移動量を少なくでき、フレキシブルなレイアウト変更に容易に対応できる利点もある。
【００１４】
また、配線溝を跨いで該配線溝両側の図板本体の上面に装着された前記一方のシートに着脱自在な前記他方のシートからなる帯状の溝蓋シートをさらに備える構造とすれば、各導通検査治具から引き出されているリード線を、溝蓋シートによって配線溝に隠すことができ、図板本体上に配置される導通検査のためのワイヤハーネスとの煩雑化がより確実に防止できる。
【００１５】
さらに、図板本体は、上面に前記一方のシートが装着された平板状の基板と、底面に前記他方のシートが装着されると共に上面に前記一方のシートが装着された角柱部材の複数とを備え、基板上に所定間隔を有して各角柱部材が、面ファスナを介して着脱自在に装着されることにより、配線溝が形成される構造とすれば、必要に応じて配線溝の溝幅も容易に変更でき、使い勝手に優れる利点がある。
【考案を実施するための最良の形態】
【００１６】
以下、本考案の実施形態を図面に基づいて説明すると、図１および図２に示されるように、試作されたワイヤハーネス１の導通を検査するための試作ワイヤハーネス用導通検査図板装置２は、平面視略長方形状の図板本体３と、該図板本体３上に装着される複数の導通検査治具４とを備えている。
【００１７】
前記図板本体３は、長方形板状の基板５と複数の角柱部材６を備え、各角柱部材６は基板５の短辺長さと同じ長さに構成されている。そして、各角柱部材６は基板５上に、基板５の長辺方向に対して一定間隔を有して、ネジ止めや接着等により固定されており、図板本体３の長手方向に沿って、一定の間隔で、所望幅の配線溝７が複数設けられた構造とされている。
【００１８】
そして、各角柱部材６の上面には、いわゆるマジックテープ（登録商標）等の面ファスナ８における例えば基布部にループ部を備えたループ体シート８ａ（被フック体シート）が、それぞれ全面にわたって貼着されている。
【００１９】
前記各導通検査治具４は、従来同様、長方形のベース部４ａ上に配置されワイヤハーネス１の端部に取り付けられたコネクタ部品９を着脱自在に収容するコネクタ保持部４ｂと、該コネクタ保持部４ｂに対向して操作部４ｃにより接近離隔操作可能に配置されると共に、コネクタ部品９の端子金具に対向するプローブピンが並設された検査部４ｄとを備えた構造とされている。
【００２０】
そして、各導通検査治具４の下面には、面ファスナ８における前記ループ体シート８ａと対となる基布部にフック部を備えたフック体シート８ｂが、それぞれ全面にわたって貼着された構造とされている。
【００２１】
この各導通検査治具４の下面に装着されたフック体シート８ｂと、各角柱部材６の上面に装着されたループ体シート８ａとの着脱により、各導通検査治具４を図板本体３上の所望の位置に着脱可能に取り付けることができる構造とされている。
【００２２】
さらに、配線溝７よりも幅広の適宜幅を有すると共に、各種の長さを有する帯状の溝蓋シート１０が多数備えられており、これら溝蓋シート１０は、角柱部材６上面に装着されたループ体シート８ａに着脱自在な前記フック体シート８ｂと同様構造のフック体シートから構成されている。
【００２３】
そして、配線溝７を跨いで該配線溝７両側の角柱部材６上面に装着されたループ体シート８ａに着脱自在に固着可能とされている。
【００２４】
本実施形態は以上のように構成されており、試作されたワイヤハーネス１の導通検査に際しては、ワイヤハーネス１の各端部に配置された各コネクタ部品９に対応して、それぞれ対応するコネクタ保持部４ｂを備えた導通検査治具４を、図板本体３上の所望の位置にそれぞれ装着する。
【００２５】
この際、図板本体３の上面にはループ体シート８ａが装着されており、各導通検査治具４の下面にはフック体シート８ｂが装着されているため、対応する導通検査治具４を図板本体３上の所望位置に載せた状態で押し付ければ、互いのループ体シート８ａとフック体シート８ｂとが着脱自在に係止し、ここに、導通検査治具４は図板本体３上に面ファスナ８を介して着脱自在に取り付けられた状態が得られる。
【００２６】
そして、図板本体３上に取り付けられた各導通検査治具４から引き出されているリード線１１は、近くに配置される配線溝７を通じて図板本体３外の所定位置に案内し、図示省略の判定器等に接続される。
【００２７】
また、リード線１１の配線溝７内への配置後は、各配線溝７を各溝蓋シート１０で蓋をすればよい。この際、溝蓋シート１０のフック体シートを、配線溝７両側のループ体シート８ａに押し付けて着脱自在に係止させればよい。
【００２８】
この状態で、図１に示されるように、ワイヤハーネス１の各端部に取り付けられたコネクタ部品９をそれぞれ対応する導通検査治具４のコネクタ保持部４ｂの収容し、各検査部４ｄを接近操作して、従来同様、ワイヤハーネスに含まれるすべての電線について検査回路を構成し、判定器により各回路が閉じているか否かによって、各電線単位で導通状態が良好であるか否かを判定すればよい。
【００２９】
そして、検査対象であるワイヤハーネス１の構成が変更された場合には、その変更に対応すべく、各導通検査治具４の配置位置を適宜変更すればよい。
【００３０】
この際、各導通検査治具４は図板本体３上に面ファスナ８を介して着脱自在に装着された構造であるため、それぞれに装着された面ファスナ８を互いに引き剥がすことにより、各導通検査治具４を図板本体３上より容易に離脱できる。そして、図板本体３上の所望位置に、対応する各導通検査治具４を再度、面ファスナ８の着脱を介して装着すればよく、ここに、各導通検査治具４を図板本体３上の所望位置に容易に着脱自在に装着でき、導通検査治具４のレイアウト変更が容易に行うことができる。そのため、本導通検査図板装置２は、種々の変更が多い、試作ラインにおけるワイヤハーネス１の導通の検査に好適である。
【００３１】
また、各導通検査治具４から引き出されているリード線１１は、配線溝７を通じて所定位置に案内でき、図板本体３上の煩雑化が有効に防止できる。この際、各導通検査治具４から引き出されているリード線１１を、溝蓋シート１０によって配線溝７に隠すことができるため、図板本体３上がスッキリし、図板本体３上に配置される導通検査のためのワイヤハーネス１と混同せず、煩雑化がより確実に防止できる。
【００３２】
さらに、ワイヤハーネス１における枝線が密集した部分は、対応する各導通検査治具４を密集した状態で配置し、また、間隔が広い場合であっても検査に支障がない範囲で、できるだけ短い間隔で各導通検査治具４を配置することによって、作業者の検査時における移動量を少なくでき、フレキシブルなレイアウト変更に容易に対応できる利点がある。
【００３３】
なお、図板本体３として、基板５上に複数の角柱部材６を一定間隔を有して配置することにより配線溝７を構成する構造を示しているが、厚板状の基板５に所定間隔を有して配線溝７を形成する構造であってもよい。
【００３４】
図３は図板本体３の別の変形例を示しており、基板５の上面には、面ファスナ８におけるループ体シート８ａが全面にわたって貼着された構造とされている。また、各角柱部材６の底面には、ループ体シート８ａと対となるフック体シート８ｂが全面にわたって貼着されると共に、各角柱部材６の上面には、ループ体シート８ａが全面にわたって貼着された構造とされている。
【００３５】
従って、図３の仮想線で示されるように、基板５上のループ体シート８ａに対して、各角柱部材６の底面に装着されたフック体シート８ｂを着脱自在に係止させて、基板５上に各角柱部材６を所定の間隔で配置することにより、適宜溝幅の配線溝７を有する図板本体３が形成される構造とされている。
【００３６】
そして、前述同様、各導通検査治具４をその底面に装着されたフック体シート８ｂを利用して、各角柱部材６の上面に装着されたループ体シート８ａに着脱自在に係止させて、取り付ければよい。
【００３７】
従って、この変形例によれば、前述と同様の利点を有するだけでなく、各角柱部材６を基板５に対して着脱自在に固着する際、必要に応じて配線溝７の溝幅を容易に変更でき、使い勝手に優れる利点がある。
【００３８】
なお、上記実施形態において、面ファスナ８における一方のループ体シート８ａと、その対となる他方のフック体シート８ｂとを、互いに入れ替えて貼着する構造としてもよい。
【００３９】
また、溝蓋シート１０で配線溝７を塞ぐ際に、溝蓋シート１０により導通検査治具４から引き出されるリード線１１を、対向する角柱部材６上のループ体シート８ａとで挟み込む構造としてもよい。
【００４０】
さらに、導通検査治具４の形状や構造や数は何ら実施形態のものに限られない。
【図面の簡単な説明】
【００４１】
【図１】本考案の実施形態に係る試作ワイヤハーネス用導通検査図板装置の概略斜視図である。
【図２】要部拡大斜視図である。
【図３】変形例を示す斜視図である。
【符号の説明】
【００４２】
１  ワイヤハーネス
２  試作ワイヤハーネス用導通検査図板装置
３  図板本体
４  導通検査治具
５  基板
６  角柱部材
７  配線溝
８  面ファスナ
８ａ  ループ体シート
８ｂ  フック体シート
９  コネクタ部品
１０  溝蓋シート
１１  リード線
【図１】
0003137018.tif 000003
【図２】
0003137018.tif 000004
【図３】
0003137018.tif 000005